(57)【要約】      （修正有）【課題】安価に、かつ、ガスの吐出効率を高めたガスボンベ開封装置を提供する。【解決手段】該板状部材の一端に形成されて開封軸１３ｃが係合する開封軸受孔１１ａ、該開封軸受孔と開封力が作用する開封力付与点との間の位置に設けられて開封板を開封する開封刃１１ｆ、及び、該開封刃と開封力付与点との間に設けられた解放軸を具備したアーム１１と、アームの傾動を規制する開封規制部３０と、を備え、開封規制部によりアームの傾動規制が解除されると、開封軸受孔と開封軸とが係合した状態でアームが開封力により傾動することにより開封刃が開封板を突き破り、さらなる傾動により解放軸が解放軸受に係合すると共に開封軸受孔と開封軸との係合が解除されて、アームの傾動支点が開封軸から解放軸１１ｅに移り、アームが傾動を続けるにしたがい開封板を開口した開封刃が当該開封板から引き抜かれる。【選択図】図１
2015121275.tif 000002
【特許請求の範囲】
【請求項１】
開封板により封止されたガスボンベが装着される装着板、該装着板の端縁に対向して立設されると共に開封軸が架け渡された一対の側板、及び、前記装着板又は前記側板に設けられた解放軸受を具備したハウジングと、
開封力を発生させる開封力発生部と、
一対の前記側板の間に配置された概ね短冊状の板状部材であって、該板状部材の一端に形成されて前記開封軸が係合する開封軸受孔、該開封軸受孔と前記開封力が作用する開封力付与点との間の位置に設けられて前記開封板を開封する前記開封刃、及び、該開封刃と前記開封力付与点との間に設けられた解放軸を具備したアームと、
前記アームの傾動を規制する開封規制部と、を備え、
前記開封規制部により前記アームの傾動規制が解除されると、前記開封軸受孔と前記開封軸とが係合した状態で前記アームが前記開封力により傾動することにより前記開封刃が前記開封板を突き破り、さらなる傾動により前記解放軸が前記解放軸受に係合すると共に前記開封軸受孔と前記開封軸との係合が解除されて、前記アームの傾動支点が前記開封軸から前記解放軸に移り、前記アームが傾動を続けるにしたがい前記開封板を開口した前記開封刃が当該開封板から引き抜かれることを特徴とするガスボンベ開封装置。
【請求項２】
請求項１に記載のガスボンベ開封装置であって、
前記アームは板金加工により形成されていることを特徴とするガスボンベ開封装置。
【請求項３】
請求項１又は２に記載のガスボンベ開封装置であって、
前記アームは、一対の前記側板のなす隙間に遊嵌し、かつ、当該側板により該側板方向の傾きが規制されることを特徴とするガスボンベ開封装置。
【請求項４】
請求項１乃至３のいずれか１項に記載のガスボンベ開封装置であって、
前記側板が、前記解放軸を案内する円弧状のアームガイド孔を備え、該アームガイド孔における前記装着板側の孔端が前記解放軸受をなすことを特徴とするガスボンベ開封装置。
【請求項５】
請求項１乃至３のいずれか１項に記載のガスボンベ開封装置であって、
記解放軸は、前記アームに円弧状に切欠かかれたアーム凹部であり、
前記解放軸受は、前記装着板に凸設して設けられた装着板凸部であることを特徴とするガスボンベ開封装置。
【請求項６】
請求項１乃至３のいずれか１項に記載のガスボンベ開封装置であって、
前記解放軸は、前記アームに円弧状に凸設されたアーム凸部であり、
前記解放軸受は、前記装着板に凹設して設けられた装着板凹部であることを特徴とするガスボンベ開封装置。
【発明の詳細な説明】
【技術分野】
【０００１】
本発明は、  ガスボンベを開封するガスボンベ開封装置に関する。
【背景技術】
【０００２】
ガスボンベを開封するガスボンベ開封装置には、種々の提案がなされている。例えば、実開平７−１１５９７号公報には、図９に示すようなボンベ開封装置が開示されている。
【０００３】
このガスボンベ開封装置は、ばね１１２により回転力（回転方向ａ）の付与されたレバー１０９が、保持材１１３によりほぼ水平に保持された構成となっている。そして、ガスボンベ１０１を開封する際には、発熱体１４９に通電を行うことにより、保持材１１３を焼き切る。これによりレバー１０９が傾動して、当該レバー１０９に設けられているカム１１０がピストン１０４を押下げ、ピストン１０４に設けられた中空の針１０５がガスボンベ１０１の封止板を破る。
【先行技術文献】
【特許文献】
【０００４】
【特許文献１】実開平７−１１５９７号公報
【発明の概要】
【発明が解決しようとする課題】
【０００５】
しかしながら、上述した実開平７−１１５９７号公報に係る提案では、開封後にガスが吐出できるように、針１０５を中空にしたり、針の側部にスリットを設けたりする必要があった。このため、部品点数が多くなり、コストアップの要因となる問題があった。
【０００６】
また、針１０５を中空に形成しても、針１０５の肉厚のために、開口した面積はそのままガスの吐出面積とならない。このため、ガスの吐出効率が悪い問題があった。
【０００７】
そこで、本発明の主目的は、安価に、かつ、ガスの吐出効率を高めたガスボンベ開封装置を提供することである。
【課題を解決するための手段】
【０００８】
上記課題を解決するため、本発明に係るガスボンベ開封装置は、開封板により封止されたガスボンベが装着される装着板、該装着板の端縁に対向して立設されると共に開封軸が架け渡された一対の側板、及び、装着板又は側板に設けられた解放軸受を具備したハウジングと、開封力を発生させる開封力発生部と、一対の側板の間に配置された概ね短冊状の板状部材であって、該板状部材の一端に形成されて開封軸が係合する開封軸受孔、該開封軸受孔と開封力が作用する開封力付与点との間の位置に設けられて開封板を開封する開封刃、及び、該開封刃と開封力付与点との間に設けられた解放軸を具備したアームと、アームの傾動を規制する開封規制部と、を備え、開封規制部によりアームの傾動規制が解除されると、開封軸受孔と開封軸とが係合した状態でアームが開封力により傾動することにより開封刃が開封板を突き破り、さらなる傾動により解放軸が解放軸受に係合すると共に開封軸受孔と開封軸との係合が解除されて、アームの傾動支点が開封軸から解放軸に移り、アームが傾動を続けるにしたがい開封板を開口した開封刃が当該開封板から引き抜かれることを特徴とする。
【発明の効果】
【０００９】
本発明によれば、開封刃を挟んで開封軸と解放軸とを設けたので、アームの１つの傾動操作により、開封動作と解放動作とが連続して行え、安価に製造できると共に、ガスの吐出効率が向上する。
【図面の簡単な説明】
【００１０】
【図１】第１実施形態に係るガスボンベ開封装置の側面図である。
【図２】ガスボンベの概略断面図である。
【図３】アームの側面図である。
【図４】ハウジングの断面斜視図である。
【図５】ガスボンベ開封装置の開封動作を示す図である。
【図６】ガスボンベ開封装置の解放動作を示す図である。
【図７】第２実施形態に係るガスボンベ開封装置の側面図である。
【図８】第２実施形態に係る他の構成のガスボンベ開封装置の側面図である。
【図９】関連技術の説明に適用される、ボンベ開封装置の構成図である。
【発明を実施するための形態】
【００１１】
＜第１実施形態＞
本発明の実施形態を説明する。図１は、本実施形態に係るガスボンベ開封装置２Ａの側面図である。なお、図１においては、内部構造が分かるように、筐体等の一部を破断して示している。図２は、ガスボンベの概略構成を示す断面図である。
【００１２】
ガスボンベ４には内部に高圧のガスが充填されて、封止板４ｂがボンベ口４ａに固着されている。従って、ガスを放出する際には、封止板４ｂを破り開口しなければならない。このとき、ガスの吐出面積を大きくする必要がある。そこで、ガスボンベ開封装置２Ａは、封止板４ｂを破る開封動作と、開封動作に続き開口を解放してガス吐出面積を大きくする解放動作との２動作を連続して行う。
【００１３】
ガスボンベ開封装置２Ａは、封止板４ｂを開封する開封部１０、開封部１０に開封力を発生させる開封力発生部２０、開封部１０の動き（傾動）を規制する開封規制部３０を主要構成としている。
【００１４】
開封部１０は、アーム１１、ハウジング１３を備える。
【００１５】
図３にアーム１１の側面図を示す。アーム１１は、概ね筐体の幅寸法（図１において横方向の寸法）の長さを持つ板金部材である。アーム１１のガスボンベ４側の端部（開封軸端）１１ｂには開封軸受孔１１ａが形成され、アーム１１のほぼ中央部には後述する開封力発生部２０を係止するバネ係止孔１１ｃが形成されている。また、開封軸端１１ｂとバネ係止孔１１ｃとの間の位置には解放軸１１ｅが形成されている。さらに、解放軸１１ｅと開封軸受孔１１ａとの間には、開封刃１１ｆが設けられている。そして、開封軸端１１ｂに対向した端部は、開封規制部３０によるアーム１１の傾動を規制する保持端部１１ｄをなしている。
【００１６】
開封刃１１ｆは、側面形状が楔状に形成されている。このように、開封刃１１ｆがアーム１１と一体に板金加工により形成されているので、製造コストが安価になると共に、部品点数の削減が図られている。
【００１７】
図４は、ハウジング１３の断面斜視図である。このハウジング１３は、装着板１３ａ、側板１３ｂ、開封軸１３ｃ、ガス吐出孔１３ｄ、アームガイド孔１３ｅを備えた、外観形状が概ね凹状の部材である。
【００１８】
装着板１３ａは、ガスボンベ４のボンベ口４ａが螺合する雌ねじが形成されたボンベ装着口１３ｇを備える。
【００１９】
側板１３ｂは、装着板１３ａに対向して立設された一対の部材からなり、対向する側板１３ｂがなす空隙がアーム挿着溝１３ｆを形成している。なお、アーム挿着溝１３ｆとは、板状のアーム１１が挿着される溝で、該アーム挿着溝１３ｆの幅（対向する側板１３ｂがなす寸法）が、アーム１１の板厚より適宜大きな寸法に形成されている。そして、アーム１１は遊嵌するものの、側板１３ｂの方向に大きく傾かない角度（ガスボンベ４の開封に支障を来さない角度）に設定されている。
【００２０】
開封軸１３ｃは、ガスボンベ４の開封動作においてアーム１１が傾動する際の軸で、側板１３ｂに圧入等により固着されている。
【００２１】
ガス吐出孔１３ｄは、開封されたガスボンベ４からの高圧ガスが吐出するガス流路をなす孔で、ボンベ装着口１３ｇと連通して形成されている。
【００２２】
アームガイド孔１３ｅは、開封軸１３ｃを中心とする円弧に沿った貫通孔である。アームガイド孔１３ｅの下孔端は、解放軸受１３ｈをなしている。そして、アームガイド孔１３ｅには、解放軸１１ｅが挿通されて、アーム１１が傾動する際の傾動軌跡を規定している。
【００２３】
開封力発生部２０は、バネ等の収縮力を発生する部材から形成されている。以下においては、巻きバネを例にバネ２０と記載して説明する。バネ２０の一端はバネ係止孔１１ｃに係止され、他端は筐体ベース６ａに係止されて、アーム１１を筐体ベース６ａ側に引くように張設されている。
【００２４】
開封規制部３０は、保持部材３０ａ、切断器３０ｂを備える。
【００２５】
保持部材３０ａは、アーム１１の保持端部１１ｄが挿入できるようにリング状に形成されて、筐体６の天板６ｂにフック形状に釣下げられている。
【００２６】
切断器３０ｂは、ガスボンベ４を開封する際に、保持部材３０ａに電力を供給して、当該保持部材３０ａを溶断させる。なお、保持部材３０ａにナイロン紐等を用いることがある。このような場合には、切断器３０ｂを電熱線等の発熱体で構成することで、当該切断器３０ｂの熱で保持部材３０ａを溶断してもよい。
【００２７】
次に、上記ガスボンベ開封装置の操作を説明する。図５は開封動作を示す図であり、図６は解放動作を示す図である。そして、各図において、実線のアーム１１は、動作開始前の状態を示し、点線のアーム１１は次の動作状態を示している。
【００２８】
先ず、図１に示すように、バネ２０の力に抗して、アーム１１を図１において反時計回りに回転させ、保持部材３０ａにより保持端部１１ｄを係止する。これにより、アーム１１は概ね水平状態となる。
【００２９】
そこで、封止板４ｂによりガスが封止されたガスボンベ４を筐体６に入れ、装着板１３ａのボンベ装着口１３ｇに当該ガスボンベ４を装着する。このとき、開封刃１１ｆの先端と封止板４ｂとは所定量離れた状態となっている。
【００３０】
この様な状態から図５に示すガスボンベ４の開封動作に入る。ガスボンベ４を開封する際には、切断器３０ｂを動作させて、保持部材３０ａを溶断する。これによりアーム１１はバネ２０の力により筐体ベース６ａ側に引っ張られる。このとき、アーム１１の開封軸受孔１１ａは開封軸１３ｃに係止しているので、アーム１１は開封軸１３ｃを軸として傾動する。
【００３１】
アーム１１の傾動に伴い、開封刃１１ｆが下動して、封止板４ｂに突き刺ささり、開口４ｃを形成する。そして、アーム１１の傾動が進むに従い、開封刃１１ｆは封止板４ｂを押し開きながら、深く突き刺さるようになる。
【００３２】
このとき、アーム１１は、１対の側板１３ｂにより図５において紙面表裏方向への傾きが規制され、かつ、解放軸１１ｅがアームガイド孔１３ｅにガイドされる。このため、アーム１１は滑らかに傾動し、バネ２０の力は殆ど開封力として利用できるようになる。
【００３３】
そして、解放軸１１ｅが解放軸受１３ｈに当接すると開封動作が終了する。この状態では、開口４ｃに開封刃１１ｆが刺さったままである。従って、開口４ｃが形成されても、ガスは効率よく吐出することができない。そこで、解放軸１１ｅが解放軸受１３ｈに当接して開封動作が終了すると、図６に示す解放動作が始まるようになっている。
【００３４】
解放軸１１ｅが解放軸受１３ｈに当接し、さらにアーム１１が傾動すると開封軸受孔１１ａは開封軸１３ｃから外れて、アーム１１は解放軸１１ｅを傾動軸として傾動するようになる。開封刃１１ｆは解放軸１１ｅと開封軸１３ｃとの間の位置に設けられている。従って、開封軸１３ｃから解放軸１１ｅに傾動軸が変わると、下降していた開封刃１１ｆは上昇するようになる。即ち、下降時に形成された開口４ｃから開封刃１１ｆは抜け出る。そして、開封刃１１ｆが開口４ｃから抜け出ると、解放動作が終了して、回収が完了する。
【００３５】
以上説明したように、開封刃を備えるアームを板金加工により形成したので、ガスボンベ開封装置における部品点数の削減と共に低価格化ができる。
【００３６】
また、開封刃を挟んで開封軸と解放軸とを設けたので、アームの１つの傾動操作により、開封動作と解放動作とが連続して行えるようになり、ガスの吐出効率が向上する。
【００３７】
＜第２実施形態＞
次に、本発明の第２実施形態を説明する。第１実施形態においては、アームに設けられた解放軸が、アームガイド孔に案内されて、当該アームガイド孔の解放軸受に当接することにより、解放動作が行えるようにした。
しかし、本発明は係る構成に限定されたに。例えば、図７に示すようなガスボンベ開封装置２Ｂも可能である。このガスボンベ開封装置２Ｂには、アーム１１にアーム凹部１１ｇ、装着板１３ａに装着板凸部１３ｊが設けられている。無論、図８に示すように、アーム１１にアーム凸部１１ｈを設け、装着板１３ａに装着板凹部１３ｋを設けてもよい。以下においては、図７の構成を例に説明する。
【００３８】
この様な構成で、アーム１１が傾動して、装着板凸部１３ｊがアーム凹部１１ｇに嵌ることにより、開封動作が終了する。そして、このアーム凹部１１ｇが解放軸として機能して、解放動作が始まる。この場合でも、アーム凹部１１ｇを備えるアーム１１が板金加工で製造することができるため、ガスボンベ開封装置における部品点数の削減と共に低価格化ができる。また、開封動作に続き解放動作を行うため、ガスの吐出が効率的に行えるようになる。
【符号の説明】
【００３９】
２Ａ，２Ｂ    ガスボンベ開封装置
４    ガスボンベ
４ａ    ボンベ口
４ｂ    封止板
４ｃ    開口
６    筐体
６ａ    筐体ベース
６ｂ    天板
１０    開封部
１１    アーム
１１ａ    開封軸受孔
１１ｂ    開封軸端
１１ｃ    バネ係止孔
１１ｄ    保持端部
１１ｅ    解放軸
１１ｆ    開封刃
１１ｇ    アーム凹部
１１ｈ    アーム凸部
１３    ハウジング
１３ａ    装着板
１３ｂ    側板
１３ｃ    開封軸
１３ｄ    ガス吐出孔
１３ｅ    アームガイド孔
１３ｆ    アーム挿着溝
１３ｇ    ボンベ装着口
１３ｈ    解放軸受
１３ｊ    装着板凸部
１３ｋ    装着板凹部
２０    開封力発生部
２０    バネ
３０    開封規制部
３０ａ    保持部材
３０ｂ    切断器
【図１】
2015121275.tif 000003
【図２】
2015121275.tif 000004
【図３】
2015121275.tif 000005
【図４】
2015121275.tif 000006
【図５】
2015121275.tif 000007
【図６】
2015121275.tif 000008
【図７】
2015121275.tif 000009
【図８】
2015121275.tif 000010
【図９】
2015121275.tif 000011